(57)【要約】      （修正有）【課題】ファン動作時に発生する振動を機器筐体に伝達しにくくすることができるとともに、機器の小型化が可能な放熱装置を実現する。【解決手段】可撓性材料により形成されファンに結合されるファンダンパーと、ファンが結合されたファンダンパーを保持し電子機器内に固定されるホルダー２１と、ファンダンパーの側面に突設されている支持部と、ホルダー２１におけるファン装着部に形成され支持部を嵌合可能な被支持部２３及び２４とを備え、支持部と被支持部２３及び２４とは、微小隙間を有して嵌合されている。【選択図】図９
2008103491.tif 000002
【特許請求の範囲】
【請求項１】
ファンを備え、前記ファンを回転駆動させて発生する空気の流れによって電子機器内の熱を放熱させる放熱装置であって、
弾性材料により形成され、前記ファンを収容するファンダンパーと、
前記ファンダンパーの側面に突設されている支持部と、
前記ファンダンパーを保持し、前記電子機器内に前記ファンを装着する装着部を有するホルダーと、
前記装着部に形成され、前記支持部に嵌合可能な被支持部とを備え、
前記支持部と前記被支持部とは、当該支持部材及び当該被支持部の対応面積よりも小さい面積を有するリブで当接していることを特徴とする放熱装置。
【請求項２】
前記被支持部は、
前記支持部に対向する内面に、微小突起が形成されている、
請求項１記載の放熱装置。
【請求項３】
前記ファンダンパーは、
前記ホルダーに対向する面に、微小突起が形成されている、
請求項１記載の放熱装置。
【請求項４】
前記ホルダーは、
前記電子機器の筐体に形成されている吸気口から排気口に至るまで、空気の流れを形成するように壁部が形成されている、
請求項１記載の放熱装置。
【請求項５】
前記電子機器の筐体に、使用者が手で把持可能な把持部を備え、
前記吸気口及び前記排気口は、前記把持部に重ならない位置に形成されている、
請求項４記載の放熱装置。
【請求項６】
裏面が電子部品に接触するように配されている放熱板を、さらに備え、
前記ホルダーは、前記放熱板の表面に配され、前記放熱板に対向する部位に前記放熱板の少なくとも一部を露出する開口部が形成されている、
請求項１記載の放熱装置。
【請求項７】
被写体の反射光像を集光させるレンズと、
前記反射光像を映像信号に変換して出力する撮像部と、
前記レンズの近傍に配され周囲の音を集音する集音部と、
本装置の筐体上における前記レンズに対向する側面に配され、各種操作を実施することが可能な操作部とを備えた撮像装置であって、
本装置内に外気を導入させるために開口した吸気口と、
前記吸気口から本装置内に導入された空気を外部に排出するために開口した排気口と、
前記吸気口の内側近傍に配され、回転駆動することに空気の流れを発生させるファンと、
可撓性材料により形成され、前記ファンに結合されるファンダンパーと、
前記ファンが結合された前記ファンダンパーを保持し、本装置内に固定されるホルダーとを備え、
前記吸気口は、前記操作部の近傍に配されていることを特徴とする撮像装置。
【請求項８】
羽根を回転する回転軸を有する回転手段と、
前記回転軸の軸芯に対し平行な２対の外枠平面と、
前記２対の外枠平面の一方の端部を繋ぎ、前記回転手段による前記羽根の回転で発生する空気流を通過させる貫通孔を備えた前側平面とを有するファン部材と、
前記ファン部材の前記２対の外枠平面をそれぞれ覆う弾性を有する２対のカバー部側平面と、
前記２対のカバー部側平面における１対のカバー部側平面の少なくとも何れか一方の平面に、当該平面から突出するフック部とを有するファンダンパーとを備えるファンユニット。
【請求項９】
前記前側平面と前記フック部を具備する前記カバー部側平面とにそれぞれ直交する平面で切断した前記フック部の断面形状が、Ｔ字形状である請求項８記載のファンユニット。
【請求項１０】
前記ファンダンパーにおける２対のカバー部側平面の内、前記フック部を少なくとも何れかに備える前記平面以外の１対のカバー部側平面の少なくとも何れか一方の平面に、前記平面から突出し当該平面の面積よりも小さい面積を有するリブ部を備える請求項８記載のファンユニット。
【発明の詳細な説明】
【技術分野】
【０００１】
本発明は、撮像装置などの電子機器内の熱を放熱させる放熱装置、ファンユニットに関する。
【背景技術】
【０００２】
近年、ビデオカメラやデジタルスチルカメラなどの撮像装置は、撮像素子の高画素化に伴い画像データのサイズが拡大しているとともに、画像データの高圧縮化技術の進歩によって、画像処理マイコンの高速処理化が進んでいる。このように画像処理マイコンを高速動作させると、マイコンチップのパッケージ温度が高温に達し、熱暴走を起こしたり、動作が不安定になる可能性がある。そのような問題を解消するために、撮影装置内に、マイコンチップを空冷するためのファンを搭載する構成が考えられる。しかしながら、撮影装置は、使用者が手で把持して使用する機会が多いため、ファンが駆動している時に発生する振動が撮影装置の筐体を介して、使用者の手に伝わってしまい、使用者に不快感を与えてしまう。そのような、ファンによる振動を軽減する構成が、例えば特許文献１に開示されている。
【０００３】
特許文献１は、小型電子機器の放熱ファンの取り付け構造に関するものである。放熱ファンの振動が筐体に伝達されることを低減させるために、放熱ファンをクッション材を介して放熱ファン取付部に取り付け、放熱ファン取付部に形成されている２本の腕を筐体に立設されている支柱に嵌合させる構成を採用している。このような構成により、放熱ファンで発生する振動を、クッション材と２本の腕で緩衝させて、筐体に伝えないようにしている。
【特許文献１】実開平４−８５７８号公報
【発明の開示】
【発明が解決しようとする課題】
【０００４】
しかしながら特許文献１に開示されている放熱ファンの取り付け構造では、２本の腕が必要であるため、電子機器内に腕を配するためのスペースが必要になる。よって、電子機器を小型化することができないという問題点がある。腕に配するためのスペースを少なくするために腕を短くする構成が考えられるが、腕を短くすると、腕の剛性が上がり振動の吸収性が低下してしまう。
【０００５】
本発明は、上記問題点を鑑み、ファン動作時に発生する振動を機器筐体に伝達しにくくすることができるとともに、機器の小型化が可能な放熱装置を実現することを目的とする。
【課題を解決するための手段】
【０００６】
上記目的を達成するために本発明の放熱装置は、ファンを備え、前記ファンを回転駆動させて発生する空気の流れによって電子機器内の熱を放熱させる放熱装置であって、弾性材料により形成され、前記ファンを収容するファンダンパーと、前記ファンダンパーの側面に突設されている支持部と、前記ファンダンパーを保持し、前記電子機器内に前記ファンを装着する装着部を有するホルダーと、前記装着部に形成され、前記支持部に嵌合可能な被支持部とを備え、前記支持部と前記被支持部とは、当該支持部材及び当該被支持部の対応面積よりも小さい面積を有するリブで当接しているものである。
【０００７】
本発明の撮像装置は、被写体の反射光像を集光させるレンズと、前記反射光像を映像信号に変換して出力する撮像部と、前記レンズの近傍に配され周囲の音を集音する集音部と、本装置の筐体上における前記レンズに対向する側面に配され、各種操作を実施することが可能な操作部とを備えた撮像装置であって、本装置内に外気を導入させるために開口した吸気口と、前記吸気口から本装置内に導入された空気を外部に排出するために開口した排気口と、前記吸気口の内側近傍に配され、回転駆動することに空気の流れを発生させるファンと、可撓性材料により形成され、前記ファンに結合されるファンダンパーと、前記ファンが結合された前記ファンダンパーを保持し、本装置内に固定されるホルダーとを備え、前記吸気口は、前記操作部の近傍に配されているものである。
【０００８】
本発明のファンユニットは、羽根を回転する回転軸を有する回転手段と、前記回転軸の軸芯に対し平行な２対の外枠平面と、前記２対の外枠平面の一方の端部を繋ぎ、前記回転手段による前記羽根の回転で発生する空気流を通過させる貫通孔を備えた前側平面とを有するファン部材と、前記ファン部材の前記２対の外枠平面をそれぞれ覆う弾性を有する２対のカバー部側平面と、前記２対のカバー部側平面における１対のカバー部側平面の少なくとも何れか一方の平面に、当該平面から突出するフック部とを有するファンダンパーとを備えるものである。
【発明の効果】
【０００９】
本発明は、ファン動作時に発生する振動を機器筐体に伝達しにくくすることができるとともに、機器の小型化が可能になるという効果が得られる。
【発明を実施するための最良の形態】
【００１０】
本発明の放熱装置は、前記被支持部は、前記支持部に対向する内面に、微小突起が形成されている構成とすることができる。この構成により、支持部と被支持部とが当接した際に、両者の接触面積を少なくすることができるため、ファンにおいて発生した振動を電子機器の筐体に伝えにくくすることができる。
【００１１】
また、前記ファンダンパーは、前記ホルダーに対向する面に、微小突起が形成されている構成とすることができる。この構成により、支持部と被支持部とが当接した際に、両者の接触面積を少なくすることができるため、ファンにおいて発生した振動を電子機器の筐体に伝えにくくすることができる。
【００１２】
また、前記ホルダーは、前記電子機器の筐体に形成されている吸気口から排気口に至るまで、空気の流れを形成するように壁部が形成されている構成とすることができる。この構成により、電子機器内の熱を効率よく放熱させることができる。
【００１３】
また、前記電子機器の筐体に、使用者が手で把持可能な把持部を備え、前記吸気口及び前記排気口は、前記把持部に重ならない位置に形成されている構成とすることができる。この構成により、使用者の手によって吸気口または排気口が塞がれることがないため、放熱効率を低下させることがない。
【００１４】
また、裏面が電子部品に接触するように配されている放熱板を、さらに備え、前記ホルダーは、前記放熱板の表面に配され、前記放熱板に対向する部位に前記放熱板の少なくとも一部を露出する開口部が形成されている構成とすることができる。この構成により、放熱板の放熱効率を向上させることができる。
【００１５】
また、本発明のファンユニットは、前記前側平面と前記フック部を具備する前記カバー部側平面とにそれぞれ直交する平面で切断した前記フック部の断面形状が、Ｔ字形状である構成としてもよい。この構成により、フック部を被保持部に係合させた際に、確実かつ安定した係合状態を維持することができる。
【００１６】
また、前記ファンダンパーにおける２対のカバー部側平面の内、前記フック部を少なくとも何れかに備える前記平面以外の１対のカバー部側平面の少なくとも何れか一方の平面に、前記平面から突出し当該平面の面積よりも小さい面積を有するリブ部を備える構成としてもよい。この構成により、ファンユニットがその周囲の他部材に当接する状態になった際に、他部材との接触面積を少なくすることができるため、ファンユニットにおいて発生した振動を他部材へ伝達させにくくすることができる。
【００１７】
（実施の形態１）
〔１．放熱装置を備えた機器の構成〕
図１及び図２は、実施の形態１の放熱装置が搭載される機器の外観を示す。本実施の形態では、機器の一例としてビデオカメラなどの撮影装置を挙げた。
【００１８】
図１に示すように、本実施の形態の放熱装置は、ビデオカメラなどの撮影装置に搭載されている。撮影装置であるカメラ本体１は、各種回路基板やバッテリーなどが内蔵され、外郭を筐体が覆っている。筐体は、上部カバー１ａや側部カバー１ｂなどの複数のカバーで構成されている。上部カバー１ａには、静止画撮影ボタンやズームレバーやマイク部７などが配されている。側部カバー１ｂは、使用者が本機器を右手で把持する際に、手の平が当接する部位であり、把持しやすいように表面が湾曲して形成されている。また、カメラ本体１は、レンズ部２、操作部３を備えている。レンズ部２は、対物レンズやズームレンズなどを備えており、カメラ本体１内におけるレンズ光軸方向の端部には、ＣＣＤイメージセンサーなどで構成されている撮像素子が配されている。操作部３は、撮影開始／停止の操作やメニュー操作など、カメラ本体１の各種操作を行うことができるものである。また、側部カバー１ｂには、吸気口４と、排気口５と、各種データ通信端子が配されている端子部を隠蔽することができる端子カバー６とが配されている。吸気口４と排気口５の詳しい構成については、後述する。なお、本実施の形態では、機器の一例としてビデオカメラを挙げて説明するが、メモリーカードやハードディスクに映像音声を録画する機能が付いた携帯型テレビジョン受像器や、携帯型メディアプレーヤーなどの他の機器であってもよい。特に、動画圧縮処理などを伴うマイコンチップを備えた機器や、ハードディスクドライブなどの高熱源を備えた機器に有効である。
【００１９】
図１及び図２に示すカメラ本体１で動画撮影を行う際は、レンズ部２を介して入射される光を撮像素子で受光し、電気的な画像信号に変換する。画像信号は、カメラ本体１内に配されている画像処理マイコンで画質補正が施され、圧縮処理マイコンでＭＰＥＧ（motion picture experts group）形式などの画像圧縮処理が行われる。一方、音声はマイク部７で収音され、カメラ本体１内に配されている音声信号処理ＩＣでノイズ除去や圧縮処理などが行われる。上記のようにして得られた画像データと音声データは、メモリーカードなどの情報媒体に記録することができる。
【００２０】
〔２．放熱装置の構成〕
図３は、実施の形態１の放熱装置の分解斜視図を示す。放熱装置は、ファンユニット１１と、ホルダー２１とから構成されている。ホルダー２１は、放熱板３１上に配置されている。放熱板３１は、プリント基板４１上に配置されている。プリント基板４１は、バッテリーケース５１に結合されている。
【００２１】
ファンユニット１１は、ファン１２とファンダンパー１３とから構成されている。図４はファンユニット１１の外観斜視図である。図５はファンユニット１１の正面図である。図６はファンユニット１１の側面図である。
【００２２】
ファン１２は、内部に回転自在に複数枚の羽根を備え、給電されることにより羽根が高速回転される。また、ファン１２は、羽根の回転支軸の軸方向の２つの側面に開口部１２ａが形成されている。開口部１２ａが形成されていることにより、羽根が回転した時に空気の流れを生じさせることができる。本実施の形態では、機器の大型化を避けるために、直径２ｃｍ程度の小型ファンを用いた。
【００２３】
図４〜図６に示すように、ファンダンパー１３は、ファン１２における開口部１２ａが形成されている側面以外の側面を覆うように、ファン１２に結合される。具体的には、ファンダンパー１３に形成されている略四角形の開口部に、ファン１２が嵌合される。また、ファンダンパー１３は、ブチルゴムなどのように可撓性を有する材料で、一体成型されている。また、ファンダンパー１３は、その可撓性によってファン１２を強固に保持している。また、ファンダンパー１３における互いに対向する側面には、第１の支持部１４と第２の支持部１５とが形成されている。また、ファンダンパー１３において、第１の支持部１４が形成されている側面と、第２の支持部１５が形成されている側面とに隣接する側面に、複数の糸リブ１６ａ〜１６ｄが形成されている。なお、ファンダンパー１３は、ファン１２の側面を覆う必要はなく、少なくともファン１２と結合することができ、第１の支持部１４及び第２の支持部１５（いずれも後述）をファン１２に配することができればよい。
【００２４】
第１の支持部１４及び第２の支持部１５は、ファンダンパー１３に一体的に形成されている。また、第１の支持部１４及び第２の支持部１５は、図６に示すように、側面視が略Ｔ字形状になっており、結合部１４ａ及び１５ａを介してファンダンパー１３に結合されている。結合部１４ａ及び１５ａは、ファンダンパー１３に一体的に形成されているため、ファンダンパー１３と同様に可撓性を有する。したがって、第１の支持部１４及び第２の支持部１５と、ファンダンパー１３におけるファン１２を覆っている部分とは、互いに変位可能である。
【００２５】
糸リブ１６ａ〜１６ｄは、ファンダンパー１３の側面から突設されている微小突起で構成されている。また、図５に示すように、糸リブ１６ｃ及び１６ｄは、ファンダンパー１３における第１の側面に形成され、糸リブ１６ａ及び１６ｂは、第１の側面に対向する第２の側面に形成されている。
【００２６】
図７は、ホルダー２１の外観斜視図である。図８Ａは、ホルダー２１の平面図である。図８Ｂは、図８ＡにおけるＭ部の要部拡大図である。図８Ｃは、図８ＡにおけるＮ部の要部拡大図である。
【００２７】
ホルダー２１は、樹脂一体成型によって形成されている。また、ホルダー２１は、ファン装着部２２と、第１の被支持部２３と、第２の被支持部２４と、第１のリブ２５と、第２のリブ２６と、スピーカー装着部２７と、開口部２８と、第１の壁部２９と、第２の壁部３０とを備えている。
【００２８】
ファン装着部２２は、ホルダー２１の長手方向端部に形成され、図４〜図６に示すファンユニット１１が装着される空間である。ファン装着部２２は、ファンユニット１１をある程度のクリアランスを持って配することができるように形成されている。すなわち、ファン装着部２２にファンユニット１１を装着した際、ファン１１はファン装着部２２に完全に固着されるのではなく、僅かな隙間（ガタツキ）を有して装着される。
【００２９】
第１の被支持部２３は、ファンダンパー１３に形成されている第１の支持部１４が嵌合される部位である。第１の被支持部２３は、図８Ｂに示すように、平面視で略Ｃ字形状の第１の凹部２３ａが形成され、その第１の凹部２３ａに略Ｔ字状の第１の支持部１４（図６参照）を嵌合可能である。なお、第１の支持部１４を第１の被支持部２３に嵌合させた際、第１の支持部１４と第１の被支持部２３との間には僅かな隙間ができるように、第１の支持部１４と第１の被支持部２３の外形寸法が設計されている。また、第１の凹部２３ａの内面には、３カ所の糸リブ２３ｂが形成されている。糸リブ２３ｂは、図８Ｂに示すように、第１の凹部２３ａの底面（図８Ｂにおける紙面方向端面）、およびその底面に隣接する互いに対向する内側面（図８Ｂにおける上側内面と下側内面）に形成されている。
【００３０】
第２の被支持部２４は、ファンダンパー１３に形成されている第２の支持部１５が嵌合される部位である。第２の被支持部２４は、図８Ｃに示すように、平面視で略Ｃ字形状の第２の凹部２４ａが形成され、その第２の凹部２４ａに略Ｔ字状の第２の支持部１５（図６参照）を嵌合可能である。なお、第２の支持部１５を第２の被支持部２４に嵌合させた際、第２の支持部１５と第２の被支持部２４との間には僅かな隙間ができるように、第２の支持部１５と第２の被支持部２４の外形寸法が設計されている。また、第２の凹部２４ａの内面には、３カ所の糸リブ２４ｂが形成されている。糸リブ２４ｂは、図８Ｃに示すように、第２の凹部２４ａの底面（図８Ｃにおける紙面方向端面）、およびその底面に隣接する互いに対向する内側面（図８Ｂにおける上側内面と下側内面）に形成されている。
【００３１】
第１のリブ２５は、図８Ａ及び図８Ｂに示すように、第１の被支持部２３の側部から略Ｌ字状に突設されている。第１のリブ２５は、ファン装着部２２にファンユニット１１を装着した際に、ファンユニット１１の端部を支持するものである。第１のリブ２５の内面には、糸リブ２３ｃが形成されている。また、糸リブ２３ｃに対向する部位には、糸リブ２３ｄが形成されている。糸リブ２３ｃ及び２３ｄは、ファンユニット１１をファン装着部２２に装着した際に、ファンユニット１１の側面に対し僅かな隙間を介して対向するように設計され、例えば衝撃力の印加等でファンダンパー１３と第１のリブ２５とが接触する場合でも、互いの主面で接触せず、主面よりも遙かに面積が小さい糸リブ２３ｃ及び２３ｄの頂面で当接する。この構成によりファンユニット１１の振動が、被支持部２３に伝達し難い構成が実現できる。
【００３２】
第２のリブ２６は、図８Ａ及び図８Ｃに示すように、第２の被支持部２４の側部から略Ｚ字状に突設されている。第２のリブ２６は、ファン装着部２２にファンユニット１１を装着した際に、ファンユニット１１の端部を支持するものである。第１のリブ２５の内面には、糸リブ２４ｃが形成されている。また、糸リブ２４ｃに対向する部位には、糸リブ２４ｄが形成されている。糸リブ２４ｃ及び２４ｄは、ファンユニット１１をファン装着部２２に装着した際に、ファンユニット１１の側面に対し僅かな隙間を介して対向するように設計され、例えば衝撃力の印加等でファンダンパー１３と第１のリブ２５とが接触する場合でも、互いの主面で接触せず、主面よりも遙かに面積が小さい糸リブ２４ｃ及び２４ｄの頂面で当接する。この構成によりファンユニット１１の振動が、被支持部２４に伝達し難い構成が実現できる。
【００３３】
スピーカー装着部２７は、音声を出力可能なスピーカー５２（図１２参照）を装着する部位であり、スピーカー５２の外形に沿うように略円形の開口部で形成されている。スピーカー５２は、すり鉢状のコーンやマグネットが開口部２８側に位置するように、スピーカー装着部２７に装着される。
【００３４】
第１の壁部２９と第２の壁部３０は、その壁面が、開口部２８を挟んで互いに対向するように立設されている。第１の壁部２９と第２の壁部３０は、ファンユニット１１から吹き出される空気を、排気口５まで導くためのものである。
【００３５】
図３において、放熱板３１は、プリント基板４１におけるチップ実装面に固定され、プリント基板４１あるいはマイコンチップ４２から発せられる熱を吸収し、放熱させるものである。放熱板３１は、例えば銅板で形成されている。放熱板３１には、マイコンチップ４２のパッケージに当接させるための当接部３２が形成されている。当接部３２は、マイコンチップ４２のパッケージを象った凹形状（マイコンチップ４２に対向する面において凹形状）に形成されており、当接部３２内にマイコンチップ４２を内在させることで、マイコンチップ４２と放熱板３１の接触面積を多く確保することができ、放熱効果を高めることができる。なお、図示は省略したが、放熱板３１のプリント基板４１側に伝熱シートを介する構成を採用すると、マイコンチップ４２から発生する熱を放熱板３１への伝熱効率を高めることができる。さらに、伝熱シートに柔軟性を付加することで、落下等の衝撃力を吸収できるため、例えばマイコンチップ４２をボール半田で接続している際には信頼性が向上でき好ましい。
【００３６】
プリント基板４１は、マイコンチップ４２や各種電気部品が実装されている。マイコンチップ４２は、例えば信号処理用マイコンや画像圧縮処理マイコンなどで構成されている。また、マイコンチップ４２は、動作時にパッケージ温度が上昇し、中でも画像圧縮処理マイコンについては画像圧縮処理動作時にパッケージ温度が相当高くなる。
【００３７】
バッテリーケース５１は、略矩形状の筐体を成し、内部にバッテリーを収納可能である。
【００３８】
〔３．放熱装置の組み立て方法〕
次に、本実施の形態の放熱装置の組み立て方法について説明する。
【００３９】
まず、図３に示すように、ファンダンパー１３の内部にファン１２を嵌合させて、ファン１２とファンダンパー１３とを一体化してファンユニット１１を形成する。この時、ファンダンパー１３は可撓性材料で形成されているため、ファンダンパー１３を撓ませて内部空間を広げながら、ファン１２を嵌合させる。図４に示すように、ファンダンパー１３内にファン１２を嵌合した状態では、ファンダンパー１３が元の形状に戻ろうとする力によって、ファン１２とファンダンパー１３とは強固に一体化される。これにより、ファンユニット１１を形成することができる。
【００４０】
次に、ファンユニット１１をホルダー２１におけるファン装着部２２に装着する。具体的には、ファンユニット１１における第１の支持部１４を、ホルダー２１における第１の被支持部２３に嵌合させる。また、ファンユニット１１における第２の支持部１５を、ホルダー２１における第２の被支持部２４に嵌合させる。この時、ファンユニット１１は、第１の被支持部２３及び第２の被支持部２４に支持されているとともに、ファンユニット１１の端部が第１のリブ２５及び第２のリブ２６に対して僅かな隙間を介して対向した位置にある。これにより、ファンユニット１１は、ホルダー２１のファン装着部２２において、宙吊り状態で保持される。より具体的には、カメラ本体１が図１等に示す正立状態の時、ファンユニット１１は、第１の支持部１４及び第１の被支持部２３によって、宙吊り状態になっている。ファンユニット１１をファン装着部２２に装着した状態を、図９及び図１０に示す。
【００４１】
図９及び図１０に示すように、第１の支持部１４が第１の被支持部２３に嵌合されている状態では、第１の支持部１４の上面１４ｂと下面１４ｃとが糸リブ２３ｂに当接可能な位置にある。すなわち、カメラ本体１が図１等に示す正立状態の時において上下方向に移動あるいは振動すると、ファンユニット１１が矢印Ｘ方向に移動あるいは振動し、第１の支持部１４の上面１４ｂと下面１４ｃとが糸リブ２３ｂに当接可能である。また、第２の支持部１５が第２の被支持部２４に嵌合されている状態では、第２の支持部１５の上面１５ｂと下面１５ｃとが糸リブ２４ｂに当接可能な位置にある。すなわち、カメラ本体１が図１等に示す正立状態の時において上下方向に移動あるいは振動すると、ファンユニット１１が矢印Ｘ方向に移動あるいは振動し、第２の支持部１５の上面１５ｂと下面１５ｃとが糸リブ２４ｂに当接可能である。また、糸リブ２３ｃ，２３ｄ，２４ｃ，２４ｄが、ファンユニット１１の側面に当接可能な位置にあるため、ファンユニット１１が矢印Ｚ方向に移動あるいは振動した際に、ファンユニット１１の側面が糸リブ２３ｃ，２３ｄ，２４ｃ，２４ｄに当接可能である。また、ファンユニット１１が矢印Ｙ方向に移動あるいは振動した際は、糸リブ１６ａが側部カバー１ｂの内面またはバッテリーケース５１の外面に当接可能である。
【００４２】
次に、プリント基板４１におけるマイコンチップ４２が実装されている面に、放熱板３１を装着する。この時、放熱板３１に形成されている当接部３２が、マイコンチップ４２のパッケージ表面に当接するように、放熱板３１を装着する。なお、プリント基板４１及びバッテリーケース５１は、予めカメラ本体１内の所定の位置に固定されているものとする。
【００４３】
次に、ホルダー２１を放熱板３１の上に装着する。固定方法は具体的に図示していないが、例えばビスを用いて、ホルダー２１と放熱板３１とプリント基板４１とをカメラ本体１のシャーシに共締め固定する方法がある。
【００４４】
以上のようにして本実施の形態の放熱装置を組み立てることができる。本実施の形態の放熱装置をカメラ本体１に組み込んだ状態を、図１１及び図１２に示す。図１１及び図１２は、本実施の形態の放熱装置が組み込まれたカメラ本体１において、上部カバー１ａと側部カバー１ｂとを取り除いた状態を示す斜視図である。図１１及び図１２に示すように、ホルダー２１における開口部２８を通じて放熱板３１を目視可能である。また、ホルダー２１は、その長手方向が、カメラ本体１の長手方向と略平行になるように装着されている。
【００４５】
最後に、カメラ本体１に上部カバー１ａ及び側部カバー１ｂを装着することで、カメラ本体１の組み立てが完了する。上部カバー１ａ及び側部カバー１ｂがカメラ本体１に装着された際、ファンユニット１１は吸気口４の内面に対向する位置にある。また、ホルダー２１におけるファンユニット装着部２２に対向する長手方向端部は、排気口５の内面に対向する位置にある。そして、吸気口４から、ファンユニット１１、第１の壁部２９及び第２の壁部３０で挟まれた空間を介して、排気口５に至るまで、空気が流通可能な空間が形成されている。また、放熱板３１は、ホルダー２１の開口部２８を介して、ホルダー２１における空気流通経路に露出している。
【００４６】
組み立て完了後のカメラ本体１の縦断面を、図１３Ａに示す。図１３Ａは、カメラ本体１において、レンズ光軸に直交しかつファンユニット１１を通る面で切断した断面図である。図１３Ｂは、図１３ＡにおけるＰ部の要部断面図である。図１３Ａ及び図１３Ｂに示すように、ファンユニット１１は、側部カバー１ｂの内側に配置されている。また、ファンユニット１１に形成されている糸リブ１６ｃ及び１６ｄが、側部カバー１ｂの内面に、僅かな隙間を挟んで当接可能な位置にある。また、ファンユニット１１に形成されている糸リブ１６ａ及び１６ｂが、バッテリーケース５１の外面に、僅かな隙間を挟んで当接可能な位置にある。また、前述したように、図１３Ａ及び図１３Ｂに示すようにカメラ本体１が正立状態の時、ファンユニット１１は、第１の支持部１４と第１の被支持部２３とによって、宙吊り状態になっている。
【００４７】
〔４．放熱動作〕
次に、本実施の形態の放熱装置による放熱動作について説明する。以下の説明では、図２、図９、図１２を参照して動作説明を行う。空気の流れについては、図２及び図９を参照して説明する。
【００４８】
図９において、カメラ本体１の動作中、カメラ本体１内の温度が所定温度以上に上昇すると、内部に配されている温度センサーが高温状態を検知しファン１２を回転駆動させる。ファン１２が回転駆動すると、ファン１２の前後において空気の流れが発生する。この時、ファンユニット１１は、吸気口４の内面に対向する位置にあり、かつ空気が吸気口４から排気口５へ向かって流れるように羽根の取り付け角度が設定されているため、ファン１２が回転駆動することにより、図２の矢印Ａに示すように、吸気口４を介して外部の空気がカメラ本体１内に取り込まれる。なお、上述の構成では温度センサーを必要とするため、温度センサーを配置するスペースや温度センサーのコストを要する。したがって、カメラ本体１の動作中はファン１２を回転し続ける構成を採用すると、省スペース化と低コスト化とが図れる。また、吸気口４から例えばピン等が挿入されファン１２の回転を強制的に停止される場合には、ファン１２の温度上昇等の不具合が生じる危険性がある。このような課題を解消するため、ファン１２に対する給電を停止する安全スイッチを備えても良い。
【００４９】
図９において、矢印Ｃに示すように外部から取り込まれた空気は、ファン１２によって矢印Ｄに示す方向へ導かれる。この時、空気は、第１の壁部２９、第２の壁部３０、開口部２８の下に位置する放熱板３１（図１２参照）、および側部カバー１ｂの内面によって囲まれた空間を、矢印Ｄに示す方向に向かって移動する。また、図１２に示すように、開口部２８を介して放熱板３１が露出しているため、吸気口４側から送り込まれる空気は、放熱板３１やマイコンチップ４２などが帯びている熱を奪い、矢印Ｄに示す方向へ流れる。これにより、放熱板３１やマイコンチップ４２などを放熱させることができる。
【００５０】
第１の壁部２９及び第２の壁部３０によって挟まれた空間を流れた空気は、ホルダー２１の端部に達し、図２の矢印Ｂに示すように排気口５を介して外部へ排出される。
【００５１】
次に、ファンダンパー１３の役割について説明する。
【００５２】
上記したように、カメラ本体１内の熱を放熱させる際にファン１２が回転駆動すると、ファン１２自体に振動が発生する。ファン１２において発生した振動は、ファンダンパー１３を介してホルダー２１へと伝わろうとする。しかし、ファン１２において発生した振動は、まずファン１２を覆っているファンダンパー１３によって緩衝される。さらに、ファンユニット１１をホルダー２１に対して宙吊り構造にしている結合部１４ａ及び１５ａによって緩衝される。また、ホルダー２１を可撓性樹脂で構成すると、ホルダー２１でファンユニット１１の振動力が吸収することができ、好ましい。
【００５３】
さらに、第１の被支持部２３における第１の凹部２３ａ内に糸リブ２３ｂが形成されているため、第１の支持部１４が振動した際は、第１の支持部１４は糸リブ２３ｂに当接する。すなわち、第１の被支持部２３の内面に糸リブ２３ｂを形成し、第１の支持部１４と第１の被支持部２３との接触面積を少なくする（つまり、面接触ではなく線接触にする）ことで、振動がファンユニット１１からホルダー２１に伝わりにくくすることができる。なお、糸リブ２３ｂは、カメラ本体１が図２に示す正立状態の時に、ホルダー２１に振動を伝わりにくくすることができる。
【００５４】
また、第２の被支持部２４における第２の凹部２４ａ内に糸リブ２４ｂが形成されているため、第２の支持部１５が振動した際は、第２の支持部１５は糸リブ２４ｂに当接する。すなわち、第２の被支持部２４の内面に糸リブ２４ｂを形成し、第２の支持部１５と第２の被支持部２４との接触面積を少なくすることで、振動がファンユニット１１からホルダー２１に伝わりにくくすることができる。なお、糸リブ２４ｂは、カメラ本体１が正立状態の時でも効果を発揮するが、天地逆転した状態の時にホルダー２１に振動を伝わりにくくすることができる。
【００５５】
また、第１のリブ２５の内面に糸リブ２３ｃが形成されていることにより、ファンユニット１１と第１のリブ２５との接触面積を少なくすることができる。また、第２のリブ２６の内面に糸リブ２４ｃが形成されていることにより、ファンユニット１１と第２のリブ２６との接触面積を少なくすることができる。また、糸リブ２３ｃに対向した部位に糸リブ２３ｄが形成され、糸リブ２４ｃに対向した部位に糸リブ２４ｄが形成されていることにより、ファンユニット１１とホルダー２１との接触面積を少なくすることができる。
【００５６】
以上により、ファンユニット１１から伝わる振動を、ホルダー２１に伝わりにくくすることができる。なお、糸リブ２３ｃ、２３ｄ、２４ｃ、２４ｄは、カメラ本体１をレンズ部２が鉛直上向きにした状態、あるいは鉛直下向きにした状態の時に、ホルダー２１に振動を伝わりにくくすることができる。
【００５７】
なお、ホルダー２１内における空気の流通経路上には、スピーカー装着部２７に装着されているスピーカー５２（図１２参照）が配されている。スピーカー５２は、放熱板３１に近接した位置に配されているため、放熱板３１から自然放熱される熱によって熱せられる。本実施の形態では、スピーカー５２は、コーンが空気の流通経路上に位置しているため、ファン１２が回転駆動して空気の流れが生じている時は、コーンを放熱させることができる。これにより、コーンが熱によって変形することを防ぐことができ、コーンが変形することによる音質低下を防ぐことができる。
【００５８】
〔５．ファンユニット１１の詳細構成〕
本実施の形態におけるファンユニット１１は、羽根を回転する回転軸を有する回転手段と、前記回転軸の軸芯に対し平行な２対の外枠平面と、前記２対の外枠平面の一方の端部を繋ぎ、前記回転手段による前記羽根の回転で発生する空気流を通過させる貫通孔を備えた前側平面とを有するファン部材と、前記ファン部材の前記２対の外枠平面をそれぞれ覆う弾性を有する２対のカバー部側平面と、前記２対のカバー部側平面における１対のカバー部側平面の少なくとも何れか一方の平面に、当該平面から突出するフック部とを有するファンダンパーとを備える構成とすることができる。
【００５９】
上記構成において、回転手段は、複数枚の羽根と、羽根が保持されている回転軸と、回転軸を回転自在に支持している軸受けなどを備え、モータなどの駆動源によって羽根を回転させることで、空気流を発生させることができる。
【００６０】
また、ファンダンパー１３は、その内壁面が、ファン１２における２対の外枠平面に対向するように、ファン１２を収容する。
【００６１】
また、ファンダンパー１３は、ファン１２の振動を弾性で弱めるため弾性材料により形成されているが、粘弾性材料により形成されていることがより好ましい。粘弾性材料で形成することで、ファン１２の振動を弾性で弱めることができると共に、振動力を粘性で吸収することができる。したがって、ファンダンパー１３に適用される材料としては、硬質ゴムや内部可塑化ゴム等が好適である。
【００６２】
また、フック部は、図４などに示す第１の支持部１４や第２の支持部１５に相当するが、必ずしも図示のように２カ所に設ける必要はなく、少なくともファンダンパー１３の側面に１カ所形成されていれば。ファンユニット１１を機器などにおける被被保持部に保持させることができるとともに、ファン１２において発生した振動を弱めて被保持部への伝達を低減させることができる。
【００６３】
また、フック部は、断面が略Ｔ字形状に形成されている。すなわち、第１の支持部１４及び第２の支持部１５は、図６に示すようにその断面が略Ｔ字形状に形成され、第１の被支持部２３及び第２の被支持部２４は略Ｔ字形状の嵌合凹部が形成されている。このように構成することで、第１の支持部１４と第１の被支持部２３との嵌合、および第２の支持部１５と第２の被支持部２４との嵌合を外れにくくすることができる。なお、フック部の形状は、略Ｔ字形状に限らず、少なくとも被保持部へ係合可能な形状で、ファンユニット１１を被保持部へ保持させることができればよい。例えば、断面が略Ｌ字形状（ファンダンパー１３の側面から略垂直方向に立設した結合部１４ａ及び１５ａと、その先端からファンダンパー１３の側面に対して略平行方向に突設された平板状部とから構成）で形成されていても、同様に機能させることができる。また、フック部は、その長手方向が、本実施の形態では図５及び図６に示すようにファン１２の回転軸方向に対して略直交するように形成されているが、ファン１２の回転軸方向に対して略平行に形成しても、同様に機能させることができる。
【００６４】
また、本実施の形態において、ファンダンパー１３において、互いに対向する一対の側面にそれぞれ２カ所づつ糸リブ１６ａ〜１６ｄが形成されているが、他の構成であってもよい。糸リブは、ファンユニット１１が周囲の他の部材に当接している状態で、その接触面積を少なくすることで、ファン１２において発生した振動を被保持部材に伝えにくくするためのものである。したがって、ファンユニット１１の周囲に、ファンユニット１１に当接する可能性がある部材がある場合のみ、ファンダンパー１３におけるその部材に対向する部位に糸リブを形成すればよい。
【００６５】
〔６．実施の形態の効果、他〕
以上のように本実施の形態によれば、ファン１２を、可撓性材料で形成されているファンダンパー１３を介してホルダー２１に保持させる構成としたことにより、ファン１２で発生した振動をファンダンパー１３で緩衝することができ、カメラ本体１の筐体へ伝達されにくくすることができる。
【００６６】
また、ファンダンパー１３とホルダー２１との保持部分には僅かな隙間を設けて宙吊り構造としたことにより、ファンダンパー１３とホルダー２１との接触面積を少なくすることができ、ファン１２で発生した振動をカメラ本体１の筐体へ伝達されにくくすることができる。
【００６７】
また、ファンダンパー１３に第１の支持部１４及び第２の支持部１５を設け、ホルダー２１に第１の被支持部２３及び第２の被支持部２４を設け、両者を嵌合させる構造にすることによって、ファンユニット１１をホルダー２１に宙吊り配置する構成としたことにより、ファン１２において発生した振動がカメラ本体１の筐体へ伝達されにくくすることができる。
【００６８】
また、ファンユニット１１の側面に糸リブ１６ａ〜１６ｄが形成されていることにより、カメラ本体１の姿勢が変化し、ファンユニット１１が筐体やバッテリーケース５１などに当接した状態であっても、ファンユニット１１と筐体などの接触面積を少なくすることができるため、ファンユニット１１で発生した振動を筐体などに伝達しにくくすることができる。
【００６９】
また、第１の被支持部２３及び第２の被支持部２４内に糸リブ２３ｂ及び２４ｂが形成されていることにより、カメラ本体１の正立状態あるいは天地逆転状態において、ファンユニット１１とホルダー２１との接触面積を少なくすることができるため、ファンユニット１１で発生した振動をホルダー２１に伝達しにくくすることができる。よって、振動を筐体に伝達しにくくすることができる。
【００７０】
また、糸リブ２３ｃ、２３ｄ、２４ｃ、および２４ｄが形成されていることにより、カメラ本体１の姿勢が変化した状態において、ファンユニット１１とホルダー２１との接触面積を少なくすることができるため、ファンユニット１１で発生した振動をホルダー２１に伝達しにくくすることができる。よって、振動を筐体に伝達しにくくすることができる。
【００７１】
また、ファンユニット１１をホルダー２１を介してカメラ本体１に取り付けたことにより、ファンユニット１１で発生した振動をカメラ本体１に伝達されにくくすることができる。すなわち、ファンユニット１１を直接放熱板や筐体などに固定すると、ファンユニット１１で発生した振動が放熱板を介して筐体に伝達されてしまう。本実施の形態ではホルダー２１を介して放熱板や筐体に固定しているため、カメラ本体１に伝達される振動を低減させることができる。
【００７２】
また、ホルダー２１において、空気の流通経路上にスピーカー装着部２７が形成されていることにより、スピーカー装着部２７に装着されているスピーカー５２を放熱させることができる。これにより、スピーカー（特にコーン）が熱によって変形したり破損したりする可能性を低くすることができる。
【００７３】
また、本実施の形態の放熱装置は、空気の流通経路を、カメラ本体１の使用時に使用者によって把持される側部カバー１ｂの内部に配したことにより、側部カバー１ｂを放熱させることができ、使用者に対する不快感を低減させることができる。
【００７４】
また、吸気口４及び排気口５を、使用者がカメラ本体１を手で把持した際に、使用者の手で覆われない位置に配置したことにより、放熱性能が低下するのを防ぐことができる。例えば、吸気口４と係止部８との間に不図示のグリップベルト架橋させると、使用者による吸気口４及び排気口５を指や掌等で塞ぐことを抑制することができる。
【００７５】
また、ホルダー２１に第１の壁部２９及び第２の壁部３０が形成されていることにより、ファン１２において発生した空気の流れを排気口５側へ導くことができるとともに、ホルダー２１の強度を向上させることができる。
【００７６】
また、吸気口４を操作部３の近傍に形成し、ファンユニット１１を吸気口４の近傍に配したことにより、ファンユニット１１をマイク部７から離れた位置に配することができる。これにより、ファン１２において発生するノイズ（風切り音やモータの動作音）がマイク部７によって集音されることを防ぐことができる。
【００７７】
また、排気口５を、端子カバー６近傍の凹部内に形成したことにより、排気口５を外観上、目立ちにくくすることができる。特に本実施の形態では、端子カバー６のエッジに指を掛けやすいように、端子カバー６に隣接した位置に形成されている凹部内に排気口５を形成したことにより、排気口５を外観上、さらに目立ちにくくすることができる。
【産業上の利用可能性】
【００７８】
本発明の放熱装置は、ビデオカメラに限らず、メモリーカードやハードディスクに映像音声を録画する機能が付いた携帯型テレビジョン受像器や、携帯型メディアプレーヤーなどの他の機器に搭載してもよい。特に、動画圧縮処理などを伴うマイコンチップや、ハードディスクドライブなどの、高熱源を備えた機器に有用である。
【図面の簡単な説明】
【００７９】
【図１】実施の形態１における放熱装置が搭載されたカメラ本体の外観を示す斜視図
【図２】実施の形態１における放熱装置が搭載されたカメラ本体の外観を示す斜視図
【図３】実施の形態１における放熱装置の分割斜視図
【図４】実施の形態１におけるファンユニットの斜視図
【図５】実施の形態１におけるファンユニットの正面図
【図６】実施の形態１におけるファンユニットの側面図
【図７】実施の形態１におけるホルダーの斜視図
【図８Ａ】実施の形態１におけるホルダーの平面図
【図８Ｂ】実施の形態１におけるホルダーの要部平面図（図８ＡのＭ部）
【図８Ｃ】実施の形態１におけるホルダーの要部平面図（図８ＡのＮ部）
【図９】実施の形態１におけるホルダーの斜視図
【図１０】実施の形態１におけるホルダーの斜視図
【図１１】実施の形態１における放熱装置が搭載されたカメラ本体の内部を示す斜視図
【図１２】実施の形態１における放熱装置が搭載されたカメラ本体の内部を示す斜視図
【図１３Ａ】実施の形態１におけるカメラ本体の断面図
【図１３Ｂ】実施の形態１におけるカメラ本体の要部断面図（図１３ＡのＰ部）
【符号の説明】
【００８０】
１  カメラ本体
４  吸気口
５  排気口
１１  ファンユニット
１２  ファン
１３  ファンダンパー
１４  第１の支持部
１５  第２の支持部
１６ａ、１６ｂ、１６ｃ、１６ｄ  糸リブ
２１  ホルダー
２２  ファン装着部
２３  第１の被支持部
２３ａ  第１の凹部
２３ｂ、２３ｃ、２３ｄ  糸リブ
２４  第２の被支持部
２４ａ  第２の凹部
２４ｂ、２４ｃ、２４ｄ  糸リブ
２５  第１のリブ
２６  第２のリブ
２７  スピーカー装着部
２８  開口部
２９  第１の壁部
３０  第２の壁部
【図１】
2008103491.tif 000003
【図２】
2008103491.tif 000004
【図３】
2008103491.tif 000005
【図４】
2008103491.tif 000006
【図５】
2008103491.tif 000007
【図６】
2008103491.tif 000008
【図７】
2008103491.tif 000009
【図８Ａ】
2008103491.tif 000010
【図８Ｂ】
2008103491.tif 000011
【図８Ｃ】
2008103491.tif 000012
【図９】
2008103491.tif 000013
【図１０】
2008103491.tif 000014
【図１１】
2008103491.tif 000015
【図１２】
2008103491.tif 000016
【図１３Ａ】
2008103491.tif 000017
【図１３Ｂ】
2008103491.tif 000018